(57)【要約】【課題】施工性の低下及び施工コストの増加を抑制することが可能な配線用遮断器の遠隔監視システムを提供する。【解決手段】一次側配線６と二次側配線８とを電気的に接続し、且つ所定の条件下で一次側配線６と二次側配線８との電気的な接続を遮断する遮断回路を備えた配線用遮断器２と、一次側配線６を介して配線用遮断器２と接続された遠隔監視手段４を備え、一次側配線６と二次側配線８との電気的な接続が遮断されている場合は所定の遮断電圧Ｖａを発生して一次側配線６へ印加し、一次側配線６と二次側配線８との電気的な接続が遮断されていない場合は遮断電圧Ｖａと異なる接続電圧Ｖｂを発生して一次側配線６へ印加し、一次側配線６へ印加される遮断電圧Ｖａまたは接続電圧Ｖｂに基づいて、遠隔監視手段４が、一次側配線６と二次側配線８との電気的な接続が遮断されているか否かを遠隔監視する。【選択図】図１
2008211865.tif 000002
【特許請求の範囲】
【請求項１】
一次側配線と二次側配線とを電気的に接続し、且つ所定の条件下で前記一次側配線と前記二次側配線との電気的な接続を遮断する遮断回路を備えた配線用遮断器であって、
前記二次側配線に印加される電圧に基づいて、前記一次側配線と前記二次側配線との電気的な接続が遮断されているか否かを判定する判定手段と、
前記判定手段により前記一次側配線と前記二次側配線との電気的な接続が遮断されていると判定された場合は所定の遮断電圧を発生して一次側配線へ印加し、且つ前記判定手段により前記一次側配線と前記二次側配線との電気的な接続が遮断されていないと判定された場合は前記遮断電圧と異なる接続電圧を発生して一次側配線へ印加する電圧印加手段と、を備えたことを特徴とする配線用遮断器。
【請求項２】
前記電圧印加手段は、前記遮断電圧を発生させる遮断電圧用電源と、前記判定手段により前記一次側配線と前記二次側配線との電気的な接続が遮断されていると判定された場合は一次側配線と前記遮断電圧用電源とを電気的に接続し、且つ前記判定手段により前記一次側配線と前記二次側配線との電気的な接続が遮断されていないと判定された場合は一次側配線と前記遮断電圧用電源との電気的な接続を遮断する電圧遮断用接点と、を備えたことを特徴とする請求項１に記載した配線用遮断器。
【請求項３】
請求項１または２に記載した前記一次側配線と前記二次側配線との電気的な接続が遮断されているか否かを遠隔監視する配線用遮断器の遠隔監視システムであって、
前記一次側配線を介して前記電圧印加手段と接続される遠隔監視手段を備え、
前記遠隔監視手段は、前記一次側配線へ印加される前記遮断電圧または前記接続電圧に基づいて、前記一次側配線と前記二次側配線との電気的な接続が遮断されているか否かを判断することを特徴とする配線用遮断器の遠隔監視システム。
【発明の詳細な説明】
【技術分野】
【０００１】
本発明は、所定の条件下で一次側配線と二次側配線との電気的な接続を遮断する配線用遮断器において、一次側配線と二次側配線との電気的な接続が遮断されているか否かを、遠隔監視する配線用遮断器及び配線用遮断器の遠隔監視システムに関する。
【背景技術】
【０００２】
従来から、一次側配線と二次側配線とを電気的に接続し、且つ所定の条件下で一次側配線と二次側配線との電気的な接続を遮断する遮断回路を備えた配線用遮断器が用いられている。
このような配線用遮断器では、一次側配線と二次側配線との電気的な接続が遮断されているか否かを遠隔監視するために、例えば、以下に示すような構成を有する配線用遮断器の遠隔監視システムが用いられる場合が多い。
【０００３】
図５は、従来例の配線用遮断器の遠隔監視システム（以下、「遠隔監視システム」と記載する）の基本的構成を示す図である。
図５中に示されているように、この遠隔監視システム１は、配線用遮断器２と、遠隔監視手段４を備えている。
配線用遮断器２は、遮断回路（図示せず）と、遮断機操作レバー１０と、遮断状態接点３４を備えている。
遮断回路は、一次側配線６と二次側配線８とを電気的に接続しており、例えば、通電異常が生じた場合等、所定の条件下において、一次側配線６と二次側配線８との電気的な接続を遮断する機能を有している。
【０００４】
遮断機操作レバー１０は、その操作に応じて、一次側配線６と二次側配線８との電気的な接続を遮断または接続する機能を有している。
遮断状態接点３４は、配線用遮断器２に内蔵されており、遠隔監視用配線３６によって、遠隔監視手段４と接続されている。
また、遮断状態接点３４は、一次側配線６と二次側配線８との電気的な接続が遮断されている状態では接続され、一次側配線６と二次側配線８との電気的な接続が遮断されていない状態では開放される。
【０００５】
なお、図５中では、一次側配線６と二次側配線８との電気的な接続が遮断されていない状態を示している。また、以下の説明では、一次側配線６と二次側配線８との電気的な接続が遮断されている状態を、「ＯＦＦ状態」と記載し、一次側配線６と二次側配線８との電気的な接続が遮断されていない状態を、「ＯＮ状態」と記載する。
このような構成の遠隔監視システム１であれば、一次側配線６と二次側配線８が上記ＯＦＦ状態である場合には、一次側配線６と二次側配線８が遮断されている状態を示す信号が、遠隔監視用配線３６を介して遠隔監視手段４へ出力される。
【０００６】
一方、一次側配線６と二次側配線８が上記ＯＮ状態である場合には、一次側配線６と二次側配線８が接続されていない状態を示す信号が、遠隔監視用配線３６を介して遠隔監視手段４へ出力される。
なお、以下の説明では、一次側配線６と二次側配線８がＯＦＦ状態であることを示す信号を、「ＯＦＦ信号」と記載し、一次側配線６と二次側配線８がＯＮ状態であることを示す信号を、「ＯＮ信号」と記載する。
【０００７】
したがって、遠隔監視用配線３６を介して出力されるＯＦＦ信号またはＯＮ信号により、一次側配線６と二次側配線８との電気的な接続が遮断されているか否かを、遠隔監視手段４によって遠隔監視可能な構成となっている。
しかしながら、このような構成の遠隔監視システム１では、遮断状態接点３４と遠隔監視手段４とを接続する遠隔監視用配線３６が、遮断状態接点３４と一対一で対応している構成となっている。
【０００８】
このため、例えば、電流、漏電電流及び電圧等、複数の情報に関して、一次側配線６と二次側配線８との電気的な接続が遮断されているか否かを監視する必要がある場合には、複数の遠隔監視用配線３６が必要となる。したがって、施工性の低下及び施工コストの増加という問題が生じるおそれがある。
このような問題を解決するために、例えば、特許文献１に記載されている遠隔監視システムがある。
【０００９】
特許文献１に記載されている遠隔監視システムは、配線用遮断器と、センサ回路部と、伝送ユニットを備えている。
配線用遮断器には、センサ回路部と、伝送ユニットが内蔵されている。
センサ回路部は、遮断回路の各種状態を監視する機能を有している。具体的には、電流センサ、漏電電流センサ及び電圧センサで構成されるセンサを備えており、これらのセンサによって検出された遮断回路の各種情報を、電気信号に変換して伝送ユニットへ出力する機能を有している。
【００１０】
伝送ユニットは、センサ回路部との間でデータの伝送を行う機能を有している。また、伝送ユニットは、配線用遮断器側を端末側としたときに親機となる遠隔監視手段と、配線用遮断器との間におけるデータの伝送を、多重伝送形式で行う機能を有している。
配線用遮断器と遠隔監視手段は、シリアル多重方式の情報伝送線から形成された遠隔監視用配線によって接続されており、この遠隔監視用配線を介して、データの伝送が行われている。
【００１１】
このような構成の遠隔監視システムであれば、遮断回路の各種状態を示す各種データを、伝送ユニットと遠隔監視手段との間において、多重伝送形式で伝送することが可能となるため、各種データを遠隔監視手段へ伝送する際の省線化を図ることが可能となる。その結果、複数の遠隔監視用配線によって接点と遠隔監視手段とを接続する構成と比較して、施工性の低下及び施工コストの増加を抑制することが可能となる。
【特許文献１】特開平５−１７４６９３号公報
【発明の開示】
【発明が解決しようとする課題】
【００１２】
しかしながら、上述した特許文献１に記載されている遠隔監視システムを含め、従来の遠隔監視システムでは、配線用遮断器と遠隔監視手段との間で各種データを伝送するために、配線用遮断器と遠隔監視手段を接続する既存の配線（電源線）以外に、遠隔監視用配線が必要となる。
このため、施工性の低下及び施工コストの増加の抑制には限界があり、施工性の低下及び施工コストの増加を、十分に抑制することが困難であるという問題が生じるおそれがある。
本発明は、上述したような問題点に着目してなされたもので、配線用遮断器と遠隔監視手段を接続する既存の配線によって、一次側配線と二次側配線との電気的な接続が遮断されているか否かを遠隔監視可能な配線用遮断器及び配線用遮断器の遠隔監視システムを提供することを課題とする。
【課題を解決するための手段】
【００１３】
前記課題を解決するために、本発明のうち、請求項１に記載した発明は、一次側配線と二次側配線とを電気的に接続し、且つ所定の条件下で前記一次側配線と前記二次側配線との電気的な接続を遮断する遮断回路を備えた配線用遮断器であって、
前記二次側配線に印加される電圧に基づいて、前記一次側配線と前記二次側配線との電気的な接続が遮断されているか否かを判定する判定手段と、
前記判定手段により前記一次側配線と前記二次側配線との電気的な接続が遮断されていると判定された場合は所定の遮断電圧を発生して一次側配線へ印加し、且つ前記判定手段により前記一次側配線と前記二次側配線との電気的な接続が遮断されていないと判定された場合は前記遮断電圧と異なる接続電圧を発生して一次側配線へ印加する電圧印加手段と、を備えたことを特徴とするものである。
【００１４】
本発明によると、二次側配線に印加される電圧に基づいて、一次側配線と二次側配線との電気的な接続が遮断されているか否かが判定され、一次側配線と二次側配線との電気的な接続が遮断されているか否かの判定結果に基づいて、所定の遮断電圧または遮断電圧と異なる接続電圧が一次側配線へ印加される。
このため、一次側配線へ印加される電圧に基づいて、一次側配線と二次側配線が遮断されているか否かを判断することが可能となる。
【００１５】
次に、請求項２に記載した発明は、請求項１に記載した発明であって、前記電圧印加手段は、前記遮断電圧を発生させる遮断電圧用電源と、前記判定手段により前記一次側配線と前記二次側配線との電気的な接続が遮断されていると判定された場合は一次側配線と前記遮断電圧用電源とを電気的に接続し、且つ前記判定手段により前記一次側配線と前記二次側配線との電気的な接続が遮断されていないと判定された場合は一次側配線と前記遮断電圧用電源との電気的な接続を遮断する電圧遮断用接点と、を備えたことを特徴とするものである。
【００１６】
本発明によると、一次側配線と二次側配線との電気的な接続が遮断されていると判定された場合は、一次側配線と遮断電圧用電源が電気的に接続され、一次側配線と二次側配線との電気的な接続が遮断されていないと判定された場合は、一次側配線と遮断電圧用電源が電気的に遮断される。
このため、一次側配線と二次側配線との電気的な接続が遮断されている状態においてのみ、所定の遮断電圧が一次側配線へ印加されることとなり、請求項１に記載した発明の効果に加え、さらに、省電力化が可能となる。
【００１７】
次に、請求項３に記載した発明は、請求項１または２に記載した前記一次側配線と前記二次側配線との電気的な接続が遮断されているか否かを遠隔監視する配線用遮断器の遠隔監視システムであって、
前記一次側配線を介して前記電圧印加手段と接続される遠隔監視手段を備え、
前記遠隔監視手段は、前記一次側配線へ印加される前記遮断電圧または前記接続電圧に基づいて、前記一次側配線と前記二次側配線との電気的な接続が遮断されているか否かを判断することを特徴とするものである。
【００１８】
本発明によると、遠隔監視手段が、一次側配線を介して電圧印加手段と接続されており、一次側配線へ印加される遮断電圧または接続電圧に基づいて、一次側配線と二次側配線との電気的な接続が遮断されているか否かを判断する。
このため、配線用遮断器と遠隔監視手段を接続する既存の配線である一次側配線へ印加される電圧に基づいて、一次側配線と二次側配線との電気的な接続が遮断されているか否かを、遠隔監視することが可能となる。
【発明の効果】
【００１９】
本発明によれば、配線用遮断器と遠隔監視手段を接続する既存の配線である一次側配線以外の配線を必要とせずに、一次側配線と二次側配線との電気的な接続が遮断されているか否かを、遠隔監視することが可能となる。
その結果、一次側配線以外の配線が必要な配線用遮断器と比較して、施工性の低下及び施工コストの増加を抑制することが可能となる。
【発明を実施するための最良の形態】
【００２０】
次に、本発明の第一実施形態について図面を参照しつつ説明する。
まず、図１を参照して、本実施形態の遠隔監視システムの構成を説明する。なお、上述した従来の遠隔監視システムと同様の構成については、同一符号を付して説明する。
図１は、本実施形態の遠隔監視システム１の基本的構成を示す図である。
図１中に示されているように、遠隔監視システム１は、配線用遮断器２と、遠隔監視手段４を備えている。
【００２１】
配線用遮断器２は、遮断回路（図示せず）と、遮断機操作レバー１０と、判定手段１２と、電圧印加手段１４と、判定結果伝達手段１６と、印加電圧伝送手段１８を備えている。
遮断回路は、一次側配線６と二次側配線８とを電気的に接続しており、例えば、通電異常が生じた場合等、所定の条件下において、一次側配線６と二次側配線８との電気的な接続を遮断する機能を有している。
【００２２】
遮断機操作レバー１０は、その操作に応じて、一次側配線６と二次側配線８との電気的な接続を遮断または接続する機能を有している。なお、遮断機操作レバー１０の操作は、人間の手で操作されることが多いが、配線用遮断器２に内蔵された配線用遮断器制御部（図示せず）等によって、遮断回路に異常が生じた場合に、配線用遮断器２のハンドル引き外し機構作動を制御することにより行われることもある。
【００２３】
判定手段１２は、配線用遮断器２に内蔵されており、二次側配線８へ印加される電圧を測定し、この測定結果に基づいて、一次側配線６と二次側配線８との電気的な接続が遮断されているか否かを判定する。そして、この判定結果を示す信号を、判定結果伝達手段１６を介して電圧印加手段１４へ出力する機能を有している。
具体的には、一次側配線６と二次側配線８がＯＦＦ状態である場合には、一次側配線６と二次側配線８との電気的な接続が遮断されているため、一次側配線６から二次側配線８へ印加される電圧が０Ｖとなる。したがって、一次側配線６と二次側配線８との電気的な接続が遮断されていると判定し、この判定結果を示す信号を、判定結果伝達手段１６を介して電圧印加手段１４へ出力する。
【００２４】
一方、一次側配線６と二次側配線８がＯＮ状態である場合には、一次側配線６と二次側配線８との電気的な接続が遮断されていないため、一次側配線６へ印加される電圧が二次側配線８へ印加され、一次側配線６から二次側配線８へ印加される電圧が０Ｖを超える。したがって、一次側配線６と二次側配線８との電気的な接続が遮断されていないと判定し、この判定結果を示す信号を、判定結果伝達手段１６を介して電圧印加手段１４へ出力する。
【００２５】
なお、判定手段１２の具体的な構成としては、例えば、配線用遮断器２に内蔵され、一次側配線６と二次側配線８がＯＦＦ状態またはＯＮ状態であることを検出する接点（図示せず）と、ＯＦＦ状態またはＯＮ状態であることを外部に出力可能な電源回路を組み合わせた構成が挙げられる。
電圧印加手段１４は、例えば、直流安定化電源装置によって形成され、判定手段１２と同様、配線用遮断器２に内蔵されており、判定結果伝達手段１６によって、判定手段１２と接続されている。
【００２６】
また、電圧印加手段１４は、判定手段１２により一次側配線６と二次側配線８との電気的な接続が遮断されていると判定され、この判定結果を示す信号が入力された場合は、任意の第一時間ｔ１に亘って、所定の遮断電圧Ｖａを発生し、この発生した遮断電圧Ｖａを、印加電圧伝送手段１８を介して一次側配線６へ印加する機能を有している。
一方、判定手段１２により一次側配線６と二次側配線８との電気的な接続が遮断されていないと判定され、この判定結果を示す信号が入力された場合は、任意の第二時間ｔ２に亘って、遮断電圧Ｖａと異なる接続電圧Ｖｂを、任意のタイミングで発生し、この発生した接続電圧Ｖｂを、印加電圧伝送手段１８を介して一次側配線６へ印加する機能を有している。
【００２７】
ここで、接続電圧Ｖｂを発生させる「任意のタイミング」とは、一次側配線６と二次側配線８がＯＮ状態である間であれば、どの時点でもよい。
また、任意の第一時間ｔ１と任意の第二時間ｔ２は、同一長さの時間としてもよく、互いに異なる長さの時間としてもよい。また、任意の第一時間ｔ１及び任意の第二時間ｔ２は、共に、判定結果を示す信号が入力されている時間と同一長さの時間としてもよい。
【００２８】
また、遮断電圧Ｖａ及び接続電圧Ｖｂは、共に、発生している間は一定の値としてもよく、また、発生している間に一定の値ではなく、時間の経過に応じて変化する値であってもよい。
判定結果伝達手段１６は、導体配線等によって形成されており、判定手段１２と電圧印加手段１４とを電気的に接続するとともに、判定手段１２から出力された判定結果を示す信号を、電圧印加手段１４へ伝達する機能を有している。
【００２９】
印加電圧伝送手段１８は、判定結果伝達手段１６と同様、導体配線等によって形成されており、電圧印加手段１４と一次側配線６と電気的に接続するとともに、遮断電圧Ｖａまたは接続電圧Ｖｂを、一次側配線６へ伝送する機能を有している。
遠隔監視手段４は、配線用遮断器２と、一次側配線６、第一電源線２０及び第二電源線２２を介して接続されており、電圧センサ（図示せず）と、判断結果出力部（図示せず）を備えている。
【００３０】
また、遠隔監視手段４は、一次側配線６へ印加される遮断電圧Ｖａまたは接続電圧Ｖｂに基づいて、一次側配線６と二次側配線８との電気的な接続が遮断されているか否かを判断し、この判断結果を判断結果出力部に表示する機能を有している。具体的には、電圧センサによって、一次側配線６へ印加される電圧を、第一電源線２０及び第二電源線２２を介して検出し、この検出した電圧が遮断電圧Ｖａである場合には、一次側配線６と二次側配線８との電気的な接続が遮断されていると判断する。一方、電圧センサによって検出した電圧が接続電圧Ｖｂである場合には、一次側配線６と二次側配線８との電気的な接続が遮断されていないと判断する。そして、この判断結果を、例えば、ディスプレイ等で形成された判断結果出力部に表示する。なお、判断結果出力部の構成としては、ディスプレイ等に限定されるものではなく、一次側配線６と二次側配線８が遮断されているか否かの判断結果に基づいて、警報が発生される構成としてもよい。
【００３１】
第一電源線２０は、判定結果伝達手段１６と同様、導体配線等によって形成されており、一次側配線６と第二電源線２２とを電気的に接続するとともに、一次側配線６に印加された電圧を、第二電源線２２へ伝送する機能を有している。
第二電源線２２は、判定結果伝達手段１６と同様、導体配線等によって形成されており、第一電源線２０と遠隔監視手段４とを電気的に接続するとともに、一次側配線６に印加された電圧を、第一電源線２０を介して遠隔監視手段４へ伝送する機能を有している。また、第二電源線２２は、遠隔監視手段４が備える電圧センサに接続されている。
【００３２】
次に、本実施形態の作用・効果等を説明する。
以下、上述した遠隔監視システム１を用いて、一次側配線６と二次側配線８との電気的な接続が遮断されているか否かを判断する方法について説明する。
モータを駆動源とする搬送装置等、遠隔監視システム１を備えた装置の使用時には、配線用遮断器２に内蔵された判定手段１２によって、二次側配線８へ印加される電圧が継続的に測定される。
【００３３】
遮断回路に異常が生じておらず、一次側配線６と二次側配線８との電気的な接続が遮断されていない状態では、一次側配線６へ印加される電圧が二次側配線８へ印加されており、一次側配線６から二次側配線８へ印加される電圧が０Ｖを超えている。したがって、判定手段１２は、一次側配線６と二次側配線８との電気的な接続が遮断されていないと判定し、この判定結果を示す信号を、判定結果伝達手段１６を介して電圧印加手段１４へ出力する。
【００３４】
判定手段１２から、一次側配線６と二次側配線８との電気的な接続が遮断されていないとの判定結果を示す信号が入力された電圧印加手段１４は、任意の第二時間ｔ２に亘って、接続電圧Ｖｂを発生する。
電圧印加手段１４が任意の第二時間ｔ２に亘って発生した接続電圧Ｖｂは、印加電圧伝送手段１８を介して一次側配線６へ印加される。
任意の第二時間ｔ２に亘って発生した接続電圧Ｖｂが一次側配線６へ印加されると、遠隔監視手段４が備える電圧センサは、第一電源線２０及び第二電源線２２を介して、一次側配線６へ印加された接続電圧Ｖｂを検出する。
【００３５】
図２は、一次側配線６と二次側配線８が遮断されていない状態において、電圧センサが検出する電圧の波形を示す図である。
図２中に示すように、接続電圧Ｖｂは、一次側配線６と二次側配線８がＯＮ状態である間の任意のタイミングで発生し、任意の第二時間ｔ２に亘って継続する。なお、図２中では、接続電圧Ｖｂが発生した時点を、Ｖｂｔと記載して示している。
電圧センサによって接続電圧Ｖｂが検出されると、一次側配線６と二次側配線８との電気的な接続が遮断されていないと判断され、この判断結果が、判断結果出力部に表示される。
【００３６】
一方、通電異常が生じた場合等、所定の条件下では、例えば、配線用遮断器２のハンドル引き外し機構作動が制御されることにより、遮断機操作レバー１０が、一次側配線６と二次側配線８との電気的な接続を遮断するように操作される。
遮断機操作レバー１０が、一次側配線６と二次側配線８との電気的な接続を遮断するように操作され、一次側配線６と二次側配線８がＯＦＦ状態となると、一次側配線６から二次側配線８へ印加される電圧が０Ｖとなる。
【００３７】
一次側配線６から二次側配線８へ印加される電圧が０Ｖとなると、判定手段１２は、一次側配線６と二次側配線８との電気的な接続が遮断されていると判定し、この判定結果を示す信号を、判定結果伝達手段１６を介して電圧印加手段１４へ出力する。
判定手段１２から、一次側配線６と二次側配線８との電気的な接続が遮断されているとの判定結果を示す信号が入力された電圧印加手段１４は、任意の第一時間ｔ１に亘って、接続電圧Ｖａを発生する。
【００３８】
電圧印加手段１４が任意の第一時間ｔ１に亘って発生した接続電圧Ｖａは、印加電圧伝送手段１８を介して一次側配線６へ印加される。
任意の第一時間ｔ１に亘って発生した接続電圧Ｖａが一次側配線６へ印加されると、遠隔監視手段４が備える電圧センサは、第一電源線２０及び第二電源線２２を介して、一次側配線６へ印加された接続電圧Ｖａを検出する。
【００３９】
図３は、一次側配線６と二次側配線８との電気的な接続が遮断されている状態において、電圧センサが検出する電圧の波形を示す図である。
図３中に示すように、接続電圧Ｖａは、一次側配線６と二次側配線８がＯＦＦ状態である間の任意のタイミングで発生し、任意の第一時間ｔ１に亘って継続する。なお、図３中では、接続電圧Ｖａが発生した時点を、Ｖａｔと記載して示している。
【００４０】
電圧センサによって接続電圧Ｖａが検出されると、一次側配線６と二次側配線８との電気的な接続が遮断されていると判断され、この判断結果が、判断結果出力部に表示される。
したがって、本実施形態の遠隔監視システム１であれば、一次側配線６と二次側配線８との電気的な接続が遮断されているか否かの判定結果に応じて、遮断電圧Ｖａまたは遮断電圧Ｖａと異なる接続電圧Ｖｂが一次側配線６へ印加される。
【００４１】
そして、一次側配線６へ印加された遮断電圧Ｖａまたは接続電圧Ｖｂに基づいて、遠隔監視手段４により、一次側配線６と二次側配線８との電気的な接続が遮断されているか否かが判断され、その判断結果が表示される。
このため、配線用遮断器２と遠隔監視手段４を接続する既存の配線である一次側配線６へ印加される電圧に基づいて、一次側配線６と二次側配線８との電気的な接続が遮断されているか否かを、遠隔監視することが可能となる。
【００４２】
その結果、遠隔監視システム１の構成を、既存の配線である一次側配線６以外の配線を必要としない構成とすることが可能となるため、一次側配線６以外の配線が必要な遠隔監視システム１と比較して、施工性の低下を抑制することが可能となる。
また、一次側配線６以外の配線が必要な遠隔監視システム１と比較して、施工コストの増加を抑制することが可能となる。
【００４３】
次に、本発明の第二実施形態について図面を参照しつつ説明する。
まず、図４を参照して、本実施形態の遠隔監視システムの構成を説明する。なお、上述した第一実施形態と同様の構成については、同一符号を付して説明する。
図４は、本実施形態の遠隔監視システムに対応する回路図を示す図である。なお、この回路は、上述した第一実施形態の遠隔監視システムに適用することが可能であり、以下の説明は、図４に示した回路を、上述した第一実施形態の遠隔監視システムに適用した場合について記載する。
【００４４】
図４中に示されているように、この回路は、供給電源２４によって、負荷装置２６に、駆動力となる電力が供給される構成となっている。なお、図２中では、負荷装置２６として、モータを用いている。また、図２中では、遠隔監視手段４が備える電圧センサを、符号２８によって示している。
供給電源２４は、電圧印加手段１４と並列に接続されている。
【００４５】
電圧印加手段１４は、遮断電圧用電源３０と電圧遮断用接点３２を備えている。
遮断電圧用電源３０は、例えば、直流電源によって形成されており、遮断電圧用電源３０の電圧Ｖｄは、供給電源２４の電圧Ｖｅと異なる値に設定されている。
電圧遮断用接点３２は、遮断電圧用電源３０と直列に接続されており、判定手段１２から出力される判定結果を示す信号に応じて、接続状態と遮断状態が変更される構成となっている。
【００４６】
具体的には、判定手段１２から出力された信号がＯＦＦ信号であり、一次側配線６と二次側配線８との電気的な接続が遮断されていると判定される場合には、電圧遮断用接点３２は接続状態となる。
一方、判定手段１２から出力された信号がＯＮ信号であり、一次側配線６と二次側配線８との電気的な接続が遮断されてないと判定される場合には、電圧遮断用接点３２は遮断状態となる。なお、図２中では、判定手段１２から出力された信号がＯＦＦ信号である場合、すなわち、電圧遮断用接点３２が接続状態である場合を示している。
【００４７】
そして、電圧遮断用接点３２が接続状態である場合には、遮断電圧用電源３０の電圧Ｖｄが供給電源２４の電圧Ｖｅに並列に印加される状態となるため、電圧センサ２８によって検出される電圧は、遮断電圧用電源３０の電圧Ｖｄと供給電源２４の電圧Ｖｅの平均値Ｖｍとなる。ここで、遮断電圧用電源３０の電圧Ｖｄは、供給電源２４の電圧Ｖｅと異なる値に設定されているため、電圧Ｖｅと平均値Ｖｍは異なる値となる。
一方、電圧遮断用接点３２が遮断状態である場合には、電圧センサ２８によって検出される電圧は、供給電源２４の電圧Ｖｅのみとなる。
その他の構成は、上述した第一実施形態と同様である。
【００４８】
次に、本実施形態の作用・効果等を説明する。
以下、上述した回路を適用した遠隔監視システムを用いて、一次側配線６と二次側配線８との電気的な接続が遮断されているか否かを判断する方法について説明する。なお、以下の説明では、上述した第一実施形態と異なる点を中心に記載する。
モータを駆動源とする搬送装置等、遠隔監視システム１を備えた装置の使用時には、配線用遮断器２に内蔵された判定手段１２によって、二次側配線８へ印加される電圧が継続的に測定される。
【００４９】
通電異常等が生じておらず、判定手段１２が、一次側配線６と二次側配線８との電気的な接続が遮断されていないと判定した状態では、この判定結果を示す信号が、判定結果伝達手段１６を介して電圧印加手段１４へ出力される。この状態では、電圧遮断用接点３２は遮断状態となる。
電圧遮断用接点３２が遮断状態である場合、供給電源２４の電圧Ｖｅのみが印加電圧伝送手段１８を介して一次側配線６へ印加されるため、電圧センサ２８は、第一電源線２０及び第二電源線２２を介して、一次側配線６へ印加された供給電源２４の電圧Ｖｅを、接続電圧Ｖｂとして検出する。
【００５０】
電圧センサ２８によって接続電圧Ｖｂが検出されると、一次側配線６と二次側配線８との電気的な接続が遮断されていないと判断され、この判断結果が、判断結果出力部に表示される。
一方、通電異常等が生じた場合、判定手段１２が、一次側配線６と二次側配線８との電気的な接続が遮断されていると判定し、この判定結果を示す信号が、判定結果伝達手段１６を介して電圧印加手段１４へ出力される。この状態では、電圧遮断用接点３２は接続状態となる。
【００５１】
電圧遮断用接点３２が接続状態である場合、遮断電圧用電源３０の電圧Ｖｄが供給電源２４の電圧Ｖｅに並列に印加される状態となるため、電圧センサ２８は、供給電源２４の電圧Ｖｅと異なる値である平均値Ｖｍを、遮断電圧Ｖａとして検出する。
電圧センサ２８によって遮断電圧Ｖａが検出されると、一次側配線６と二次側配線８との電気的な接続が遮断されていると判断され、この判断結果が、判断結果出力部に表示される。
【００５２】
したがって、本実施形態の回路が適用された遠隔監視システムであれば、一次側配線６と二次側配線８との電気的な接続が遮断されていると判定された場合は、印加電圧伝送手段１８と遮断電圧用電源３０が接続される。
一方、一次側配線６と二次側配線８との電気的な接続が遮断されていないと判定された場合は、印加電圧伝送手段１８と遮断電圧用電源３０が遮断される。
このため、一次側配線６と二次側配線８との電気的な接続が遮断されている状態においてのみ、遮断電圧Ｖａが一次側配線６へ印加されることとなり、上述した第一実施形態の配線用遮断器が奏する効果に加え、さらに、省電力化が可能となる。
その他の作用・効果は、上述した第一実施形態と同様である。
【図面の簡単な説明】
【００５３】
【図１】本発明の第一実施形態の遠隔監視システムの基本的構成を示す図である。
【図２】一次側配線と二次側配線との電気的な接続が遮断されていない状態において、電圧センサが検出する電圧の波形を示す図である。
【図３】一次側配線と二次側配線との電気的な接続が遮断されている状態において、電圧センサが検出する電圧の波形を示す図である。
【図４】本発明の第二実施形態の遠隔監視システムに対応する回路図である。
【図５】従来例の遠隔監視システムの基本的構成を示す図である。
【符号の説明】
【００５４】
１    遠隔監視システム
２    配線用遮断器
４    遠隔監視手段
６    一次側配線
８    二次側配線
１０  遮断機操作レバー
１２  判定手段
１４  電圧印加手段
１６  判定結果伝達手段
１８  印加電圧伝送手段
２０  第一電源線
２２  第二電源線
２４  供給電源
２６  負荷装置
２８  電圧センサ
３０  遮断電圧用電源
３２  電圧遮断用接点
３４  遮断状態接点
３６  遠隔監視用配線
【図１】
2008211865.tif 000003
【図２】
2008211865.tif 000004
【図３】
2008211865.tif 000005
【図４】
2008211865.tif 000006
【図５】
2008211865.tif 000007